(57)【要約】【課題】絞りを切り換えて適切なストロボ発光が行われるようにする。【解決手段】第１メインコンデンサ６１と第２メインコンデンサ６２とが並列に接続されており、第２メインコンデンサ６２の一端には光量スイッチ５２が接続されている。光量スイッチ５２は、小絞りのときにオンとされて第２メインコンデンサ６２の放電を許容し、大絞りのときにオフとされて第２メインコンデンサ６２の放電を禁止する。光量スイッチ５２に並列にダイオード６３が接続されており、光量スイッチ５２のオン・オフにかかわらず第２メインコンデンサ６２の充電を許容する。【選択図】　　　　図３
2004069915.tif 000002
【特許請求の範囲】
【請求項１】
撮影レンズの絞りを切り換えるための絞り切り換え機構と、絞りに応じてストロボ発光量が調節されるストロボ装置とを備えたレンズ付きフイルムユニットにおいて、
前記ストロボ装置は、充電回路によって充電され、ストロボ放電管で放電するように互いに並列に接続された複数個のメインコンデンサと、これらの複数個のメインコンデンサのうちの少なくとも１個以上のメインコンデンサの一端にそれぞれ接続され、絞り切り換えに連動してオン・オフされる光量スイッチと、光量スイッチのオフ時にメインコンデンサの充電を許容するように各光量スイッチにそれぞれ並列に接続されたダイオードとを備えたことを特徴とするレンズ付きフイルムユニット。
【請求項２】
予め装填されている写真フイルムのフイルム感度がＩＳＯ１６００以上であることを特徴とする請求項１記載のレンズ付きフイルムユニット。
【発明の詳細な説明】
【０００１】
【発明の属する技術分野】
本発明は、ストロボ装置を内蔵したレンズ付きフイルムユニットに関するものである。
【０００２】
【従来の技術】
未露光の写真フイルムが予め装填されたレンズ付きフイルムユニットが各種販売されている。このようなレンズ付きフイルムユニットは、シャッタ機構やフイルム巻上げ機構等の撮影機構が簡略化されて安価であること、撮影操作が簡単であること等を特徴としており、手軽に使用できることから広く普及している。
【０００３】
このようなレンズ付きフイルムユニットでは、室内や夜間等の暗い場所でも撮影できるようにストロボ装置を内蔵したものもある。さらに、絞り値を切り換えて、暗い場所での撮影から明るい場所で撮影まで良好な撮影ができるようにしたものもあり、この絞り値の切り換えに連動させてストロボ光の光量を変化させるものも知られている（特開２００１−３３７３６４号公報）。
【０００４】
特開２００１−３３７３６４号公報に記載されたストロボ装置では、絞り値の切り換えに連動させて、ストロボ発光部の前面でのライトバイザーの挿脱を行ったり、メインコンデンサの容量の増減を行うことでストロボ光量を調節している。このメインコンデンサの容量を増減する回路では、２本のメインコンデンサのうちの一方のメインコンデンサの一端に、絞り値に応じてオン・オフされるスイッチが接続された構成となっている。
【０００５】
【発明が解決しようとする課題】
ところで、ライトバイザーの挿脱を行う手法では、ライトバイザーでストロボ発光部の一部を隠すことによってストロボ光を小さくするのでストロボ光の照射パターンが変化してしまうという欠点がある。
【０００６】
また、上記のようにメインコンデンサの容量を増減するストロボ装置では、ストロボ発光の準備が完了したこと、すなわちメインコンデンサがストロボ発光可能な電圧以上に充電されたことを確認した後に絞りを切り換えて撮影を行った場合に、ストロボ発光が正常に行われないことがある。これは、一方のメインコンデンサに接続されたスイッチがオフのときには他方のメインコンデンサだけ充電されているが、一方のメインコンデンサは充電されておらず、絞り切り換えによってスイッチがオンとなると充電がされていたメインコンデンサから充電されていないメインコンデンサに電荷が流れ込み、充電電圧が大きく低下し、メインコンデンサの電圧が発光可能電圧以下となってしまうためである。
【０００７】
上記のような不都合を防止するには、最初に両方のメインコンデンサの充電されるように絞りを選択して充電完了を確認すればよいが、操作，確認作業が煩雑となるといった問題がある。　また、レリーズボタンの押圧操作に応答して被写体輝度を測定し、その測定結果に基づいて絞りを自動的に切り換える場合では、絞りの切り換えの直後に撮影が行われるので、上記のようなストロボ装置の回路構成を採用することはできない。
【０００８】
本発明は、上記の事情を考慮してなされたもので、絞りを切り換えても正常なストロボ発光を行うことができ、操作や確認作業を簡単にすることができるレンズ付きフイルムユニットを提供することを目的とする。
【０００９】
【課題を解決するための手段】
上記目的を達成するために、請求項ｌ記載のレンズ付きフイルムユニットでは、充電回路によって充電され、ストロボ放電管で放電するように互いに並列に接続された複数個のメインコンデンサと、これらの複数個のメインコンデンサのうちの少なくとも１個以上のメインコンデンサの一端にそれぞれ接続され、絞り切り換えに連動してオン・オフされる光量スイッチと、光量スイッチのオフ時にメインコンデンサの充電を許容するように各光量スイッチにそれぞれ並列に接続されたダイオードとをストロボ装置に備えたものである。
【００１０】
請求項２記載のレンズ付きフイルムユニットでは、予め装填されている写真フイルムのフイルム感度がＩＳＯ１６００以上としたものである。
【００１１】
【発明の実施の形態】
図１に本発明を実施したレンズ付きフイルムユニットの外観を示す。レンズ付きフイルムユニットは、ユニット本体２と、このユニット本体２を部分的に覆う外装体３とから構成されており、ユニット本体２にはシャッタ機構，絞り切替え機構、フイルム給送機構，ストロボ装置等の各種撮影機構が内蔵されている。
【００１２】
また、ユニット本体２には、未露光の写真フイルムと撮影済の写真フイルムを収納するカートリッジからなるフイルムカートリッジが製造時に装填されている。写真フイルムは、種々のフイルム感度のものを用いることができるが、後述するストロボ装置のメインコンデンサの静電容量を小さくして小型化を図るためにＩＳＯ１６００以上のであることが好ましい。
【００１３】
ユニット本体２の前面には、撮影レンズ４，ファインダ５の対物側窓５ａ，モード選択部材８，ストロボ操作部材９，ストロボ発光部１０が設けられている。また、ユニット本体２の上面には、レリーズボタン１１，残り撮影可能コマ数を表示するカウンタ窓１２，ストロボ発光の準備が完了したことを表示する充電完了表示窓１３が設けられている。
【００１４】
さらに、背面には、１コマの撮影ごとに回転操作される巻上げノブ１４が露呈され、対物側窓５ａに対面する位置にファインダ５の接眼側窓（図示省略）が設けられている。外装体３は、ユニット本体２の中央部分に貼付されており、各部に設けた開口から撮影レンズ４，ファインダ５，カウンタ窓１２等を外部に露呈させている。
【００１５】
モード選択部材８は、撮影モードとして後述する通常モードと夜景モードとのいずれかを選択するためのものであり、図１に示される通常モード位置と、この通常モード位置から上方にスライド移動された夜景モード位置との間でスライド自在にされている。また、ストロボ操作部材９は、撮影時のストロボ発光のオン・オフを選択するためのものであり、図１に示されるオフ位置と、このオフ位置から上方にスライド移動されたオン位置との間でスライド自在にされている。
【００１６】
ストロボ操作部材９は、モード選択部材８が夜景モード位置にスライド移動されることに連動してオン位置にスライド移動され、モード選択部材８は、ストロボ操作部材９がオフ位置にスライド移動されることに連動して通常モード位置にスライド移動される。なお、通常モード選択時では、ストロボ操作部材９をオン位置，オフ位置のいずれにもセットが可能である。
【００１７】
通常モードは、日中屋外等の明るい場所での撮影に対応するモードである。また、通常モードで、ストロボ操作部材９をオン位置としてストロボ発光をオンとすれば比較的に明るい室内で、例えば撮影距離が２．５ｍ前後の主要被写体をストロボ光によりほぼ適正な露光量で撮影できるとともに、背景を適度な明るさで撮影することができる。この通常モードでは、ストロボ発光の有無にかかわらず、比較的に高速な第１シャッタ秒時と絞り開口径が小さい小絞りが用いられる。
【００１８】
夜景モードは、例えば結婚式の披露宴会場などのように暗い室内や夜間屋外等に対応し、撮影距離が３ｍ前後の主要被写体をストロボ光によりほぼ適正な露光量で撮影できるとともに、暗い背景を適度な明るさで撮影することができるモードである。この夜景モードでは、上記の第１シャッタ秒時よりも低速な第２シャッタ秒時と、小絞りよりも絞り開口径が大きい大絞りが撮影に用いられる。また、この夜景モードでは、ストロボ発光を強制的に行う。前述のようにモード選択部材８に連動してストロボ操作部材９がオン位置にセットされることによって、ストロボ発光が必ず行われるようになる。
【００１９】
図２に示すように、撮影レンズ４と写真フイルムとの間を遮光する暗箱２０の前面にはシャッタ開口２０ａが形成されており、その前方にシャッタ機構２１を構成するシャッタ羽根２２と、レンズユニット２３とが配されている。撮影レンズ４は前群レンズ４ａと後群レンズ４ｂの２枚構成となっている。
【００２０】
シャッタ羽根２２は、その羽根部２２ａでシャッタ開口２０ａを覆った閉じ位置と、シャッタ開口２０ａの前面から退避した全開位置を経てさらに回動した終端位置との間で回動自在に暗箱２０の前面に組み付けられている。シャッタ羽根２２は、復帰バネ２４によって閉じ位置に向けて付勢されており、通常は閉じ位置にありシャッタ開口２０ａを塞いでいる。
【００２１】
シャッタ秒時切替え手段としての回転規制レバー２５は、暗箱２１の前面に回動自在に組み付けられている。この回転規制レバー２５は、その一端に規制片２５ａが、他端にピン２５ｂがそれぞれ形成されている。この回転規制レバー２５は、規制片２５ａがシャッタ羽根２２の回転軌跡上から退避した退避位置と、全開位置と終端位置との間で回転軌跡上に入り込んだ規制位置との間で回動自在となっている。
【００２２】
モード選択部材８が一体に形成されたスライド板２７は、上下方向にスライド自在とされており、その側部には係合部２７ａが形成されている。この係合部２７ａにピン２５ｂが係合している。これにより、回転規制レバー２５は、モード選択部材８が通常モード位置のときに規制位置とされ、夜景モード位置のときに退避位置とされる。
【００２３】
シャッタ機構２１は、レリーズボタン１１の押圧操作に応答して作動する。シャッタ機構２１が作動すると、シャッタ機構２１の一部であるシャッタ駆動レバー（図示せず）がチャージ位置からリリース位置に向けて高速に移動する。この移動の間にシャッタ羽根２２の当接部２２ｂがシャッタ駆動レバーによって蹴飛ばされ、シャッタ羽根２２は、復帰バネ２４の付勢力に抗して終端位置に向けて回動する。なお、シャッタ駆動レバーは、写真フイルムの１コマ分の給送に連動してチャージ位置にセットされる。
【００２４】
モード選択部材８が夜景モード位置のときには、回転規制レバー２５が退避位置とされるため、シャッタ羽根２２は、終端位置にまで回動した後に復帰バネ２４の付勢力によって閉じ位置に戻る。また、モード選択部材８が通常モード位置のときには、回転規制レバー２５が規制位置とされるため、シャッタ羽根２２は、終端位置に達する前に規制片２５ａに当接し復帰バネ２４の付勢力によって閉じ位置に戻る。このようにすることで、通常モードの選択時では、シャッタ羽根２２作動角（回転角）を小さくし相対的に高速な第１シャッタ秒時とし、夜景モードの選択時では、シャッタ羽根２２の作動角を大きくすることで相対的に低速な第２シャッタ秒時とする。
【００２５】
レンズユニット２３は、暗箱２０との間でシャッタ羽根２２を挟むように、暗箱２０の前面に配されている。このレンズユニット２３は、撮影レンズ４と、ベース３０と、絞り切替え手段としての固定絞り板３１，スペーサ３２，可動絞り板３４と、レンズ押さえ３５等とから構成されている。これらの各部材は、後群レンズ４ｂ，固定絞り板３１，スペーサ３２，前群レンズ４ａの順で、ベース３０に形成されたレンズホルダ３０ａに挿入されてレンズ押さえ３５によって固定されている。
【００２６】
固定絞り板３１には、大絞りとしての大絞り開口３１ａが形成されている。スペーサ３２は、固定絞り板３１と前群レンズ４ａとの間に、可動絞り板３４の先端部を挿脱するためのスペースを確保する。可動絞り板３４は、その先端部に大絞り開口３１ａよりも小さい開口径の小絞り開口３４ａが小絞りとして形成されている。
【００２７】
小絞り開口３４ａが形成された可動絞り板３４は、ベ−ス３０の前面に形成された軸３０ｃに取り付けられ、撮影レンズ４の光軸上に小絞り開口３４ａを配した挿入位置と、撮影レンズ４の光軸から退避した退避位置との間で回動自在とされている。可動絞り板３４は、その後端部に設けられた長穴３４ｂにスライド板２７の前面に設けたピン２７ｂが係合している。これにより、可動絞り板３４は、スライド板２７のスライド移動に連動して回動し、モード選択部材８が通常モード位置にセットされると挿入位置に回動され、夜景モード位置にセットされると退避位置に回動される。
【００２８】
このように構成することにより、夜景モードの選択時には、可動絞り板３４が退避位置となって、小絞り開口３４ａが撮影レンズ４の光軸上から退避するので、光軸上に固定された大絞り開口３１ａを用いた大絞りによる撮影となる。また、通常モードの選択時には、可動絞り板３４が挿入位置となって、小絞り開口３４ａが撮影レンズ４の光軸上に挿入されるので、この小絞り開口３４ａを用いた小絞りによる撮影となる。
【００２９】
ストロボ用スライド板４４には、ストロボ操作部材９が一体に形成されている。このストロボ用スライド板４４は、ストロボ操作部材９のスライド操作によって上下方向にスライド移動する。ストロボ操作部材９は、ストロボ用スライド板４４の前面に突出しており、スライド板２７の側方に突出した連動部２７ｃの移動軌跡上に配されている。これにより、モード選択部材８を夜景モード位置にスライドさせると、連動部２７ｃによってストロボ操作部材９がオン位置に押し上げられる。また、ストロボ操作部材９をオン位置からオフ位置にスライド移動すると、モード選択部材８が通常モード位置に押し下げられる。
【００３０】
ストロボスイッチ５０は、ストロボ用スライド板４４のスライドに連動してオン・オフされる。ストロボスイッチ５０は、充電スイッチとストロボ発光の有無を選択する発光選択スイッチを兼ねている。ストロボ操作部材９がオン位置にセットされることによってストロボスイッチ５０がオンとなり、ストロボ発光のための充電が行われるとともに、ストロボ発光が許容された状態となる。また、ストロボ操作部材９がオフ位置にセットされると、ストロボスイッチ５０がオフとなり、充電の有無にかかわらずストロボ発光が禁止される。
【００３１】
シンクロスイッチ５１は、シャッタ羽根２２が全開位置に達したときにオンとなる。このシンクロスイッチ５１がオンとなったタイミングでストロボ発光が行われる。
【００３２】
光量スイッチ５２は、ストロボ発光量を撮影時の絞りに応じて切り換えるためのものであり、スライド板２７のスライドに連動してオン・オフされる。この光量スイッチ５２は、モード選択部材８が通常モード位置のときにオンとなり、夜景モード位置のときにオフとなる。光量スイッチ５２がオフとなると、オンのときよりもストロボ発光量が小さくされ、大絞りでの撮影で主要被写体がストロボ光で露光オーバとなることが防止される。
【００３３】
上記レンズ付きフイルムユニットに搭載されているストロボ装置の回路を図３に示す。電池５５から出力される電圧は、充電回路５６によって高電圧、例えば３００Ｖに昇圧され、出力端子５６ａ，５６ｂとの間から出力される。なお、出力電圧は出力端５６ａ側の電位が高くなる向きで出力される。
【００３４】
充電回路５６は、発振トランジスタ５７，発振トランス５８，整流用ダイオード５９等から構成されており、電池５５を電源として発振トランジスタ５７と発振トランス５８によって高電圧の交流を発生し、その交流を整流用ダイオード５９で整流して出力する。この充電回路５６は、ストロボスイッチ５０がオンのときに作動し、オフのときに停止する。なお、図３に示す充電回路５６の構成は一例であり、他の回路構成であってもよい。
【００３５】
ストロボスイッチ５０としては、３接点のものが用いられており、前述のように充電スイッチと発光選択スイッチを兼ねている。ストロボスイッチ５０がオンとなると、発振トランジスタ５７にベース電流が流れることにより充電回路５６が作動されるとともに、充電回路５６によるトリガコンデンサ６０の充電と、シンクロスイッチ５１のオンに応答したトリガコンデンサ６０の放電とが許容される。また、ストロボスイッチ５０がオフとなると、発振トランジスタ５７にベース電流が流れなくなるので充電回路５６が停止するとともに、トリガコンデンサ６０の放電回路を開くのでストロボ発光が禁止される。
【００３６】
出力端子５６ａ，５６ｂの間に第１メインコンデンサ６１が接続されており、この第１メインコンデンサ６１は、充電回路５６の作動時に出力端子５６ａから出力端子５６ｂに向かう方向に流れる電流で充電される。また、出力端子５６ａ，５６ｂの間には、直列に接続された光量スイッチ５２と第２コンデンサ６２とが接続され、光量スイッチ５２にダイオード６３が並列に接続されている。すなわち、第１メインコンデンサ６１と第２コンデンサ６２とが並列に接続され、第２コンデンサ６２の一端に光量スイッチ５２が接続されて、その光量スイッチ５２にダイオード６３が並列に接続されている。
【００３７】
ダイオード６３は、充電回路５６からの電流を第２メインコンデンサ６２に流す向きで接続されている。この例では、ダイオード６３は、そのアノードが出力端子５６ａに接続される向きで接続されている。
【００３８】
上記のように光量スイッチ５２にダイオード６３を並列に接続することにより、充電時には光量スイッチ５２のオン・オフにかかわらず第２メインコンデンサ６２を第１メインコンデンサ６１とともに充電し、光量スイッチ５２のオン・オフによって第１，第２メインコンデンサ６１，６２の両方を放電させるか、第１メインコンデンサ６１だけを放電させるかの選択を可能にしてある。
【００３９】
ストロボ放電管６４は、第１メインコンデンサ６１と、ダイオード６３と第２コンデンサ６２の直列回路とのそれぞれに並列に接続されている。トリガ電極６４ａを介してトリガ電圧が印加されると、ストロボ放電管６４は、第１，第２メインコンデンサ６１，６２の電荷を放電してストロボ光を放出する。このストロボ発光の際に、光量スイッチ５２がオンの場合には、第１メインコンデンサ６１と第２メインコンデンサ６２の両方が放電し、光量スイッチ５２がオフの場合には、第１メインコンデンサ６１だけが放電してストロボ発光が行われる。これにより、光量スイッチ５２がオフ（夜景モード）の場合には、光量スイッチ５２がオン（通常モード）の場合よりもストロボ発光量が小さくされる。
【００４０】
トリガコンデンサ６０は、ストロボスイッチ５０がオンのときに充電回路５６によって充電され、ストロボスイッチ５０がオンの状態でシンクロスイッチ５１がオンとなると放電し、その放電電流をトリガコイル６５の一次側に流す。トリガコイル６５は、一次側に放電電流が流れると、その二次側にトリガ電圧を発生してトリガ電極６４ａを介してストロボ放電管６４に印加する。ストロボスイッチ５０がオフの場合には、シンクロスイッチ５１がオンとなってもトリガコンデンサ６０が放電しないので、トリガ電圧がストロボ放電管６４に印加されないからストロボ発光は行われない。
【００４１】
小絞りと大絞りの各絞り値、第１シャッタ秒時と第２シャッタ秒時、通常モートと夜景モードでのストロボ発光量は、想定する主要被写体までの撮影距離やアベイラブル光の強さ等に基づき、用いる写真フイルムのフイルム感度とともに決められる。この例では、写真フイルムのフイルム感度がＩＳＯ１６００，小絞りの絞り値がＦ１４，大絞りの絞り値がＦ５．６，第１シャッタ秒時が１／１４０（ｓｅｃ）　，第２シャッタ秒時が１／４５（ｓｅｃ）　，ストロボ発光量（ＧＮｏ．）は通常モード時が８．８（ＩＳＯ１００・ｍ），夜景モード時が４．５（ＩＳＯ１００・ｍ）となっている。なお、撮影レンズ４の焦点距離は、３２ｍｍとされている。
【００４２】
第１，第２メインコンデンサ６１，６２の静電容量は、通常モード，夜景モードの各ガイドナンバーと、充電電圧とに応じて決められる。この例では、第１メインコンデンサ６１として２５μＦのものが、第２メインコンデンサ６２として７０μＦのものが用いられている。なお、少なくともいずれか一方のメインコンデンサをリードレスタイプのものを用い、ストロボ装置の回路基板に面実装しても良い。このようにリードレスタイプのメインコンデンサを用いればストロボ装置、レンズ付きフイルムユニットの小型化を図る上で有利である。
【００４３】
発光ダイオード６７は、発振トランス５８に接続されている。この発光ダイオード６７は、発振トランス５８の二次側に接続された第１メインコンデンサ６１の充電電圧に応じて、発光ダイオード６７が接続されたコイルの端子間電圧が変化することを利用して点灯が制御されており、充電回路５６の動作中で第１メインコンデンサ６１が所定の規定充電電圧に達したときに点灯する。この例では、規定充電電圧がストロボ発光が可能になる２５０Ｖに設定されている。発光ダイオード６７からの光は、充電完了表示窓１３に導かれる。これにより、充電完了表示窓１３を通してストロボ発光が可能になったことを確認できる。なお、フル充電時には、第１，第２メインコンデンサ６１，６２は、３６０Ｖ程度まで充電される。
【００４４】
この回路構成では、第１メインコンデンサ６１の充電電圧Ｖ１は、第２メインコンデンサ６２の充電電圧Ｖ２と同じかそれよりも低い電圧となる（Ｖ１≦Ｖ２）。したがって、第１メインコンデンサ６１が２５０Ｖ以上で発光ダイオード６７が点灯しているときには、第２メインコンデンサ６２も２５０Ｖ以上に充電されている。
【００４５】
次に上記構成の作用について説明する。撮影を行う場合には、撮影者は、巻上げノブ１４を回転操作して、写真フイルムを１コマ分巻き上げる。このフイルム巻上げに連動してシャッタチャージが行われる。また、撮影シーンに応じてモード操作部材８を操作し、通常モードまたは夜景モードを選択する。
【００４６】
例えば、通常モードを選択する場合には、モード操作部材８を下方にスライド操作して通常モード位置にセットし、この後にストロボ操作部材９を操作してストロボ発光のオン・オフを選択する。なお、モード操作部材８が夜景モード位置にセットされている場合で、撮影時にストロボ発光を行わない場合には、オン位置にセットされているストロボ操作部材９をオフ位置にスライド移動することにより、モード操作部材８を通常モード位置にセットしてもよい。
【００４７】
上記のようにモード操作部材８が通常モード位置にセットされると、スライド板２７のスライド移動に連動し、回転規制レバー２５が規制位置に回動して保持され、規制片２５ａがシャッタ羽根２２の回転軌跡上に入り込んだ状態となる。また、可動絞り板３４が挿入位置に回動し保持される。さらに、光量スイッチ５２がオンとなる。
【００４８】
また、ストロボ操作部材９をオン位置とすれば、ストロボスイッチ５０がオンとなる。ストロボスイッチ５０がオンとなると、充電回路５６が作動を開始して第１メインコンデンサ６１が充電されるとともに、オンとなっている光量スイッチ５２を介して充電回路５６からの電流が第２メインコンデンサ６２に流れるので第２メインコンデンサ６２も充電される。
【００４９】
このように通常モードを選択している場合には、光量スイッチ５２がオンとなっているので、第１メインコンデンサ６１と第２メインコンデンサ６２の充電電圧は同電圧に保たれる。なお、第１メインコンデンサ６１，第２メインコンデン６２の充電電圧が異なっている場合であっても、光量スイッチ５２がオンとなることによって各充電電圧は同じになる。
【００５０】
そして、第１，第２メインコンデンサ６１，６２が規定充電電圧に達してストロボ発光が可能になると、発光ダイオード６７が点灯する。これにより、撮影者は、ストロボ撮影の準備が完了したことを充電完了表示窓１３を通して確認できる。
【００５１】
ファインダ５を覗いてフレーミングを決定し、レリーズボタン１１を押圧操作して撮影を行う。レリーズボタン１１が押圧されると、シャッタ機構２１が作動する。これにより、シャッタ羽根２２は、シャッタ駆動レバーにより蹴飛ばされて閉じ位置から終端位置に向けて回動を開始する。回転規制レバー２５の規制片２５ａがシャッタ羽根２２の回転軌跡上に入り込んでいるから、終端位置に向けて回動を開始したシャッタ羽根２２は、シャッタ開口２０ａを全開した後に、終端位置に達する前に規制片２５ａと当接して、復帰バネ２４の付勢力で閉じ位置に向けて回動を開始する。これにより、第１シャッタ秒時でシャッタ羽根２２の開閉動作が行われる。
【００５２】
また、シャッタ羽根２２がシャッタ開口２０ａを全開した全開位置に達した瞬間に、シンクロスイッチ５１がオンとなる。このため、ストロボ操作部材９をオン位置としている場合には、シンクロスイッチ５１のオンにより、ストロボ放電管５５にトリガ電圧が与えられてストロボ発光が行われる。そして、ストロボ放電管５５より放出されたストロボ光がストロボ発光部１０より被写体に向けて照射される。なお、ストロボ操作部材９をオフ位置としている場合には、トリガコンデンサ６０が放電しないので、ストロボ発光は行われない。
【００５３】
この通常モードでのストロボ発光は、ストロボ放電管６４を介して第１メインコンデンサ６１が放電するとともに、光量スイッチ５２がオンとなっているから第２メインコンデンサ６２が同時に放電することによって行われる。これにより、ＧＮｏ．８．８（ＩＳＯ１００・ｍ）相当のストロボ発光量でストロボ発光が行われる。
【００５４】
第１シャッタ秒時でシャッタ羽根２２の開閉動作が行われている間に、撮影レンズ４に入射した被写体からの光は、小絞り開口３４ａ，大絞り開口３１ａを通して写真フイルムに露光を与えるが、この場合には小絞り開口３４ａで光量が制限されることになる。したがって、小絞りと比較的に高速な第１シャッタ秒時とを用いた撮影が行われる。そして、小絞りの絞り値がＦ１４であり、フイルム感度がＩＳＯ１６００であるから、ＧＮｏ．８．８（ＩＳＯ１００・ｍ）相当のストロボ発光量で２．５ｍ前後の被写体について適正な露光量を得ることができる。
【００５５】
上記のようにしてストロボ発光が行われると、第１メインコンデンサ６１の充電電圧Ｖ１が数十Ｖに低下するため発光ダイオード６７が消灯する。このときに第２メインコンデンサ６２の充電電圧Ｖ２についても、第１メインコンデンサ６１のものと同じになっている。
【００５６】
ストロボ操作部材９をオン位置，モード操作部材８を通常モード位置としておけば、ストロボ発光直後から第１メインコンデンサ６１，第２メインコンデンサ６２とが同じ充電電圧を維持しながら充電され、規定充電電圧に達したときに発光ダイオード６７が点灯する。
【００５７】
一方、夜景等のように暗い被写体を撮影するような場合、あるいは夜景を背景にして人物等の主要被写体を撮影する場合、暗い室内で背景を適当な濃度で再現しながら人物等の主要被写体を撮影する場合には、モード選択部材８を通常モード位置から夜景モード位置に移動して夜景モードを選択する。
【００５８】
モード選択部材８を夜景モード位置にセットすると、連動部２７ｃがストロボ操作部材９をオン位置に押し上げる。このようにモード選択部材８を操作して夜景モードを選択すれば、ストロボ発光させる状態に自動的になるので手軽に撮影することができ、また撮影の失敗を低減できる。
【００５９】
モード選択部材８が夜景モード位置にセットされることにより、回転規制レバー２５が退避位置に回動して保持され、可動絞り板３４が退避位置に回動し保持される。また、モード選択部材８が夜景モード位置にセットされることで、光量スイッチ５２がオフとなる。さらに、ストロボ操作部材９がオン位置となることに連動して、ストロボスイッチ５６がオンとなり、充電回路５６による第１メインコンデンサ６１，第２メインコンデンサ６２の充電が開始される。このときに、第２メインコンデンサ６２は、ダイオード６３を介して流れる電流で充電される。
【００６０】
通常モードから夜景モードに切り換えた場合には、光量スイッチ５２がオンからオフとなる。光量スイッチ５２がオンのときには、第１メインコンデンサ６１と第２メインコンデンサ６２は同じ充電電圧となっているので、光量スイッチ５２がオフとなった直後にも第１メインコンデンサ６１と第２メインコンデンサ６２は同じ充電電圧に保たれている。
【００６１】
充電が進み第１メインコンデンサ６１が規定充電電圧に達すると、発光ダイオード６７が点灯する。光量スイッチ５２がオフとなった直後における第１，第２メインコンデンサ６１，６２の充電電圧Ｖ１，Ｖ２が同じであり、発光ダイオード６７が点灯した際には、第２メインコンデンサ６２は第１メインコンデンサ６１と同じ規定充電電圧、またはそれ以上に達している。なお、この第１，第２メインコンデンサ６１，６２の充電電圧Ｖ１，Ｖ２が同じである場合、厳密にはダイオード６３に電流が流れているときには、そのダイオード６３での電圧降下分だけ第２メインコンデンサ６２の充電電圧Ｖ２が第１メインコンデンサ６１の充電電圧Ｖ１よりも低いが、その大きさは無視できる程度のものである。
【００６２】
各メインコンデンサ６１，６２は、規定充電電圧に達した後にも充電電圧Ｖ１，Ｖ２は上昇し、最終的にフル充電状態になる。
【００６３】
レリーズボタン１１を押圧すると、シャッタ機構２１が作動され、シャッタ羽根２２の開閉動作が行われる。そして、この夜景モードでは回転規制レバー２５が退避位置に回動されているから、シャッタ羽根２２は閉じ位置から終端位置にまで回動した後に、復帰バネ２４の付勢力で閉じ位置に戻る。また、シャッタ羽根２２が全開位置に達した瞬間には、シンクロスイッチ５１がオンとなりストロボ発光が行われる。このときに、光量スイッチ５２がオフとなっているから、第１メインコンデンサ６１だけが放電してストロボ発光が行われる。このようにして大絞りと、通常モード時よりも遅い第２シャッタ秒時の下でストロボ撮影が行われる。
【００６４】
上記のように夜景モード下での撮影が行われるから、３ｍ前後の主要被写体はストロボ光により適切に露光され、ストロボ光が有効でない遠距離の被写体については、遅い第２シャッタ秒時と大きな開口径の大絞り開口によって実用上問題のない撮影を行える。
【００６５】
夜景モードでのストロボ発光では、上記のように第１メインコンデンサ６１だけが放電され、その充電電圧Ｖ１が数十Ｖに低下するため発光ダイオード６７は消灯する。また、第２メインコンデンサ６２は、放電されないので充電電圧Ｖ２は規定充電電圧以上となっている。したがって、スロボ発光後にも夜景モードを選択していれば、第１メインコンデンサ６１と第２メインコンデンサ６２とはそれぞれ充電されて最終的にフル充電されるが、第１メインコンデンサ６１の充電電圧Ｖ１よりも第２メインコンデンサ６２の充電電圧Ｖ２が高い状態から充電が開始される。そして、第１メインコンデンサ６１が規定充電電圧に達すると発光ダイオード６７が点灯する。もちろん、第２メインコンデンサ６２は、規定充電電圧以上となっている。
【００６６】
各スイッチ５０，５１，５２と、各メインコンデンサ６１，６２の充電電圧と、発光ダイオード６７の点灯状態との関係を図４に示す。ストロボスイッチ５０のオン・オフ、すなわち充電動作中であるか否かにかかわりなく、通常モードが選択されて光量スイッチ５２がオンのときには、第１メインコンデンサ６１，第２メインコンデンサ６２の各充電電圧Ｖ１，Ｖ２は同じに保たれる。
【００６７】
例えば、上記のように夜景モードでのストロボ発光後で第１メインコンデンサ６１，第２メインコンデンサ６２の各充電電圧Ｖ１，Ｖ２に差があるときに、通常モードを選択して光量スイッチ５２がオンとなれば、充電電圧の高い第２メインコンデンサ６２の電荷の一部が光量スイッチ５２を介して第１メインコンデンサ６１に移動することにより、第１，第２メインコンデンサ６１，６２の各充電電圧Ｖ１，Ｖ２が同じになる。
【００６８】
このように光量スイッチ５２がオンのときにストロボスイッチ５０がオンとなっている場合では、第１，第２メインコンデンサ６１，６２の各充電電圧Ｖ１，Ｖ２が同電圧を維持しながら上昇し、各充電電圧Ｖ１，Ｖ２が規定充電電圧に達したときに発光ダイオード６７が点灯する。
【００６９】
また、光量スイッチ５２がオフのときには、光量スイッチ５２がオンからオフに切り換わって第１，第２メインコンデンサ６１，６２の各充電電圧Ｖ１，Ｖ２が同じ場合と、夜景モード下でストロボ発光した後のように第１，第２メインコンデンサ６１，６２の各充電電圧Ｖ１，Ｖ２が異なる場合とがある。
【００７０】
前者の場合では、光量スイッチ５０がオンの場合と同様に、同電圧である第１，第２メインコンデンサ６１，６２の各充電電圧Ｖ１，Ｖ２が規定充電電圧以上である場合に発光ダイオード６７が点灯する。後者の場合には、第２メインコンデンサ６２の充電電圧Ｖ２が第１メインコンデンサ６１の充電電圧Ｖ１よりも高い状態で各充電電圧Ｖ１，Ｖ２がそれぞれ上昇し、充電電圧Ｖ１が規定充電電圧に達したときに発光ダイオード６７が点灯する。もちろん、このときに充電電圧Ｖ２は、充電電圧Ｖ１よりも高いので規定充電電圧以上である。
【００７１】
したがって、光量スイッチ５２がオン・オフにかかわらず、第２メインコンデンサ６２の充電電圧Ｖ２は第１メインコンデンサ６１の充電電圧Ｖ１以上であって、充電電圧Ｖ１が規定充電電圧以上となって発光ダイオード６７が点灯した状態であれば、第２メインコンデンサ６２も規定充電電圧以上に充電された状態である。
【００７２】
そして、この発光ダイオード６７が点灯してストロボ発光が可能になった状態になってから、光量スイッチ５２をオンからオフ，オフからオンに切り換えたとしても、すなわち通常モードと夜景モードとを切り換えたとしても、第１，第２メインコンデンサ６１，６２の各充電電圧Ｖ１，Ｖ２は、規定電圧以上を維持し、ストロボ発光が可能な状態が維持される。もちろん、発光ダイオード６７も点灯した状態を維持する。
【００７３】
これにより、撮影者が発光ダイオード６７の点灯を確認した後に、モード操作部材８で撮影モードの切り換え操作して撮影を行ったとしても、ストロボ操作部材９をオン位置にセットした状態であれば、必ずストロボ発光が行われるので撮影を失敗することがない。
【００７４】
図５は３個のメインコンデンサを設けた例を示すものである。第１〜第３メインコンデンサ７１〜７３の一端には、光量スイッチ７４〜７６がそれぞれ接続されている。また、各光量スイッチ７４〜７６には、それぞれ並列にダイオード７７〜７９が接続されており、各メインコンデンサ７１〜７３は、光量スイッチ７４〜７６のオン・オフにかかわらず昇圧回路５６の作動時に対応するダイオード７７〜７９のうちの１つを介して流れる電流で充電可能にされている。。
【００７５】
レンズ付きフイルムユニットは、例えば、３段階に絞りが切り換えられるようにされており、絞り開口径が最も小さい小絞りが選択されているときに全ての光量スイッチ７４〜７６がオンとされ、絞り開口径が最も大きい大絞りが選択されているときに光量スイッチ７４だけがオンとされ、小絞りと大絞りとの間の中絞りが選択されているときに光量スイッチ７４と光量スイッチ７５がオンとされる。これにより、絞りに応じてストロボ発光量を３段階に変化させる。なお、この場合には、光量スイッチ７４を常にオンとしているので光量スイッチ７４を設けなくてもよい。
【００７６】
上記の例ではストロボ発光量を３段階に変化させているが、ストロボ発光時に使用するメインコンデンサの組み合わせを変えることにより、ストロボ発光量を３段階以上に変化させることができる。例えば第１〜第３メインコンデンサ７１〜７３のそれぞれの静電容量を異なったものとして、光量スイッチ７４〜７６のオン・オフの組み合わせによって７段階にストロボ発光量を変化させることができる。
【００７７】
上記各実施形態では、手動で絞り切り換えを行うレンズ付きフイルムユニットを例に説明したが、本発明は、被写体輝度をセンサで測定し、その測定結果に基づいて絞りを切り換える場合にも利用できる。
【００７８】
【発明の効果】
以上説明したように、本発明のレンズ付きフイルムユニットによれば、互いに並列に接続された複数個のメインコンデンサのうちの１個以上のメインコンデンサの一端に絞り切り換えに連動してオン・オフされる光量スイッチを接続するとともに、各光量スイッチに並列にそれぞれダイオードを接続して光量スイッチのオン・オフにかかわらず各メインコンデンサが充電されるようにしたから、各メインコンデンサが同時に充電され、光量スイッチがオフからオンに切り換わってもストロボ発光を常に正常に行うことができる。
【図面の簡単な説明】
【図１】本発明を実施したレンズ付きフイルムユニットの外観を示す斜視図である。
【図２】絞り及びシャッタ秒時の切り替える機構を示すブロック図である。
【図３】ストロボ装置の回路構成を示す回路図である。
【図４】スイッチとメインコンデンサの充電電圧と発光ダイオードの点灯状態の関係を示す説明図である。
【図５】メインコンデンサを３本設けた例を示す回路図である。
【符号の説明】
４　撮影レンズ
８　モード選択部材
９　ストロボ操作部材
１０　ストロボ発光部
５２，７４〜７６　光量スイッチ
５６　充電回路
６１，６２，７１〜７３　メインコンデンサ
６３，７７〜７９　ダイオード
【図１】
2004069915.tif 000003
【図２】
2004069915.tif 000004
【図３】
2004069915.tif 000005
【図４】
2004069915.tif 000006
【図５】
2004069915.tif 000007